(57)【特許請求の範囲】
【請求項１】
被巻線体(1)の外周(1a)に融着電線(3)を巻回して１層目巻(4)を形成し、この１層目巻(4)の終端(4a)を折返して２層目巻(5)を連続して巻回するようにした巻線の折返し方法において、前記終端(4a)の巻回を停止し角度θだけ内方へ曲折させて戻した状態で、熱、光、溶剤の何れかを加えることにより前記融着電線(3)同志を融着して形成される融着部(20)を介して固定し、前記被巻線体(1)の外周(1a)には、前記融着電線(3)に対する機械的ストッパとしての端板又はフィルムを用いることなく前記融着電線(3)を多層巻とすることを特徴とする巻線の折返し方法。
【請求項２】
被巻線体(1)の外周(1a)に融着電線(3)を巻回して１層目巻(4)を形成し、この１層目巻(4)の終端(4a)を折返して２層目巻(5)を連続して巻回した巻線構造において、前記終端(4a)の巻回を停止し角度θだけ内方へ曲折させて戻した状態で、熱、光、溶剤の何れかを加えることにより前記融着電線(3)同志を融着して形成される融着部(20)を介して固定し、前記被巻線体(1)の外周(1a)には、前記融着電線(3)に対する機械的ストッパとしての端板又はフィルムを用いることなく前記融着電線(3)を多層巻とすることを特徴とする巻線構造。
【発明の詳細な説明】
【０００１】
【産業上の利用分野】
本発明は、巻線の折返し方法及び巻線構造に関し、特に、１層目巻の融着巻線の終端を融着して固定した後折り返し、２層目巻を形成することにより、被巻線体の外周には、融着電線に対する機械的ストッパを用いることなく融着電線の巻回を行うための新規な改良に関する。
【０００２】
【従来の技術】
従来、用いられていたこの種の巻線構造としては、種々あるが、その中で代表的な構造について述べると、図９、図１０、図１１に示す構造を挙げることができる。
すなわち、図９の構造において符号１で示されるものは円筒状の被巻線体であり、この被巻線体１の外周１ａには機械的ストッパとしての端板２が設けられていると共に、この外周１ａにはこの端板２を案内として電線３による１層目巻４及び２層目巻５が巻回され巻線６が形成されている。
【０００３】
また、図１０に示す構造においては、前記端板２の代わりにテープ２Ａが設けられていた。
【０００４】
また、図１１に示す構造においては、１層目巻４の終端４ａから内方に向けて２層目巻５を巻回しない非巻回部１０を形成し、この非巻回部１０以後に２層目巻５を巻回していた。
【０００５】
【発明が解決しようとする課題】
従来の巻線構造は、以上のように構成されているため、次のような課題が存在していた。
すなわち、図９及び図１０の構造では、端板及びテープを用いるため、自動巻線機を用いる場合に極めて障害となり、自動化が極めて困難であった。
さらに、図１１の場合には、１層目巻の終端に２層目巻の非巻回部を形成しなくてはならないため、差動変圧器用の巻線としては１層目巻と２層目巻の境目が明確とならず、差動変圧器の検出特性上、精度の問題が発生していた。
【０００６】
本発明は以上のような課題を解決するためになされたもので、特に、１層目巻の融着電線の終端を融着して固定した後折り返し、２層目巻を形成するようにした巻線の折返し方法及び巻線構造を提供することを目的とする。
【０００７】
【課題を解決するための手段】
本発明による巻線の折返し方法は、被巻線体の外周に融着電線を巻回して１層目巻を形成し、この１層目巻の終端を折返して２層目巻を連続して巻回するようにした巻線の折返し方法において、前記終端の巻回を停止し角度θだけ内方へ曲折させて戻した状態で、熱、光、溶剤の何れかを加えることにより前記融着電線同志を融着して形成される融着部を介して固定し、前記被巻線体の外周には、前記融着電線に対する機械的ストッパとしての端板又はフィルムを用いることなく前記融着電線を多層巻とする方法である。
【０００８】
本発明による巻線構造は、被巻線体の外周に融着電線を巻回して１層目巻を形成し、この１層目巻の終端を折返して２層目巻を連続して巻回した巻線構造において、前記終端の巻回を停止し角度θだけ内方へ曲折させて戻した状態で、熱、光、溶剤の何れかを加えることにより前記融着電線同志を融着して形成される融着部を介して固定し、前記被巻線体の外周には、前記融着電線に対する機械的ストッパとしての端板又はフィルムを用いることなく前記融着電線を多層巻とする構成である。
【０００９】
【作用】
本発明による巻線の折返し方法及び巻線構造においては、１層目巻の終端の融着電線同志を光、熱、溶剤の何れかにより融着して固定し、内方へ曲折しているため、従来のような端板等の手段を用いることなく折返しを行うことができ、しかもこの折返し部分は最小の非巻回部を伴うのみで２層目巻を巻回することができる。また、端板等がないため、自動巻線に好適であり、自動巻線機による大量生産が可能となる。
【００１０】
【実施例】
以下、図面と共に本発明による巻線の折返し方法及び巻線構造の好適な実施例について詳細に説明する。
なお、従来例と同一又は同等部分については同一符号を用いて説明する。
図１から図８迄は本発明による巻線の折返し方法を示すためのものである。
【００１１】
図１において符号１で示されるものは円筒状の被巻線体であり、この被巻線体１の外周１ａには融着電線３による１層目巻４及び２層目巻５が融着部２０を介して折返されて巻回され巻線６が形成されている。
【００１２】
この１層目巻４の終端４ａは、図２から図５で示すように、この終端４ａの巻回を図３の状態で停止し、角度θだけ内方へ曲折させて戻し、図４の状態で、熱、光、溶剤の何れかを加えることにより融着電線３同志を融着して形成される前記融着部２０を介して固定する。
【００１３】
この固定した終端４ａは、図５で示す状態から元の方向に折り返されて２層目巻５を形成することにより２重巻を形成している。従って、前述の方法を両方向において反復することにより多層巻を容易に形成することができる。なお、図７、８は図４、５の拡大図である。なお、前記融着電線は整列巻で構成されている。
【００１４】
【発明の効果】
本発明による巻線の折返し方法及び巻線構造は、以上のように構成されているため、次のような効果を得ることができる。
すなわち、融着電線を用い、１層目巻の終端を融着して固定し、折返して２層目巻を形成していることにより、従来のような端板等の手段を必要としないため、自動巻線時の障害がなく、極めて容易に自動巻線機による自動巻を行うことができる。
また、大量生産による巻線構造の大幅な低価格化を実現することができる。
【図面の簡単な説明】
【図１】本発明による巻線構造の部分的断面図である。
【図２】巻始めを示す構成図である。
【図３】折返し状態を示す構成図である。
【図４】折返し状態を示す構成図である。
【図５】折返し状態を示す構成図である。
【図６】２重巻状態を示す構成図である。
【図７】図４の拡大図である。
【図８】図５の拡大図である。
【図９】従来の巻線構造の部分的断面図である。
【図１０】従来の巻線構造の部分的断面図である。
【図１１】従来の巻線構造の部分的断面図である。
【符号の説明】
１    被巻線体
１ａ    外周
３    融着電線
４    １層目巻
４ａ    終端
５    ２層目巻
２０    融着部
【図１】
0003544551.tif 000002
【図２】
0003544551.tif 000003
【図３】
0003544551.tif 000004
【図４】
0003544551.tif 000005
【図５】
0003544551.tif 000006
【図６】
0003544551.tif 000007
【図７】
0003544551.tif 000008
【図８】
0003544551.tif 000009
【図９】
0003544551.tif 000010
【図１０】
0003544551.tif 000011
【図１１】
0003544551.tif 000012